(57)【要約】【課題】  ナビゲーション中、急に撮影したくなったときに、速やかに撮影をすることができること。【解決手段】  被写体を撮像する撮像部５２と、二段式のレリーズキーを有する操作部７０と、地図情報記憶部６４と、ＧＰＳ信号に基づいて現在位置情報の測位を行う位置検出部５６と、撮像部５２から出力される撮像画像をスルー画として表示し、レリーズキーの全押下に応じて撮像画像の記録を行う撮像機能、および、現在位置とその周辺の地図情報を表示するナビゲーション機能を含む複数の機能を制御する制御部６０と、を備え、制御部６０は、ナビゲーション機能が選択されて少なくとも地図情報が表示されているナビゲーション状態で、レリーズキーが半押下されたとき、ナビゲーション状態をスルー画が表示される撮像状態に切り替える。【選択図】  図１
2008311724.tif 000002
【特許請求の範囲】
【請求項１】
被写体を撮像する撮像手段と、
全押下状態および半押下状態を有するレリーズキーと、
地図情報を記憶する地図情報記憶手段と、
ＧＰＳ信号に基づいて現在位置の測位を行う測位手段と、
表示を行なう表示手段と、
前記撮像手段から出力される撮像画像をスルー画として前記表示手段に表示し、前記レリーズキーの全押下に応じて前記撮像画像の記録を行う撮像機能、および、前記現在位置とその周辺の前記地図情報とを含むナビゲーション情報を前記表示手段に表示させるナビゲーション機能を少なくとも含む複数の機能を制御する機能制御手段と、
前記各機能の選択指示が入力される機能選択指示入力手段と、
前記ナビゲーション機能が選択されて少なくとも前記地図情報が表示されているナビゲーション状態で、前記レリーズキーが半押下されたとき、前記ナビゲーション状態を前記スルー画が表示される撮像状態に切り替える切替制御手段と、
を備えることを特徴とする撮像装置。
【請求項２】
前記切替制御手段は、前記レリーズキーが半押下されて前記ナビゲーション状態から前記撮像状態に切り替えた場合、前記撮像状態で前記レリーズキーが全押下されたときに前記撮像状態から前記ナビゲーション状態に復帰させることを特徴とする請求項１に記載の撮像装置。
【請求項３】
前記切替制御手段は、前記レリーズキーが半押下されて前記ナビゲーション状態から前記撮像状態に切り替えた場合、前記レリーズキーが全押下されたときに、前記撮像画像が記録され、前記撮像画像が所定時間前記表示手段に表示された後、前記ナビゲーション状態に復帰させることを特徴とする請求項２に記載の撮像装置。
【請求項４】
前記機能制御手段は、前記レリーズキーが半押下されて前記ナビゲーション状態から前記撮像状態に切り替わったとき、前記測位手段による現在位置の測位を継続させることを特徴とする請求項１ないし３の何れか１項に記載の撮像装置。
【請求項５】
前記機能制御手段は、前記ナビゲーション状態で前記レリーズキーが半押下されたとき、前記ナビゲーション情報および前記スルー画を前記表示手段に分割して表示させることを特徴とする請求項１ないし４の何れか１項に記載の撮像装置。
【請求項６】
前記機能制御手段は、前記表示手段に記録画像を再生表示する画像再生機能を制御し、
前記切替制御手段は、前記ナビゲーション状態で前記機能選択指示入力手段により前記画像再生機能の選択指示が入力されたとき、前記ナビゲーション状態を前記記録画像が表示される画像再生状態に切り替えることを特徴とする請求項１ないし５の何れか１項に記載の撮像装置。
【請求項７】
前記切替制御手段は、前記ナビゲーション状態から前記画像再生状態に切り替えた場合、前記機能選択指示入力手段により前記画像再生状態が解除されたときに前記画像再生状態から前記ナビゲーション状態に復帰させることを特徴とする請求項６に記載の撮像装置。
【請求項８】
前記機能制御手段は、前記機能選択指示入力手段により前記ナビゲーション機能の選択指示が入力されたとき、前記測位手段が現在位置の測位が済んでいない場合には、前記現在位置を含まないナビゲーション情報を前記表示手段に表示させることを特徴とする請求項１ないし７の何れか１項に記載の撮像装置。
【請求項９】
被写体を撮像する撮像手段と、全押下状態および半押下状態を有するレリーズキーと、地図情報を記憶する地図情報記憶手段と、ＧＰＳ信号に基づいて現在位置の測位を行う測位手段と、表示を行なう表示手段と、実行可能な機能の選択指示が入力される機能選択指示入力手段とを備えた撮像装置の制御方法であって、
前記機能選択指示入力手段に撮像機能の選択指示が入力されたとき、前記撮像手段から出力される撮影画像を前記表示手段にスルー画として表示させる工程と、
前記機能選択指示入力手段にナビゲーション機能の選択指示が入力されたとき、前記現在位置とその周辺の前記地図情報とを含むナビゲーション情報を前記表示手段に表示させる工程と、
前記ナビゲーション機能が選択されて少なくとも前記地図情報が表示されているナビゲーション状態で前記レリーズキーが半押下されたとき、前記ナビゲーション状態を前記スルー画が表示される撮像状態に切り替える工程と、
前記撮像状態で前記レリーズキーの全押下に応じて前記撮像画像の記録を行う工程と、
を含むことを特徴とする撮像装置の制御方法。
【発明の詳細な説明】
【技術分野】
【０００１】
本発明は、特にＧＰＳ（Global Positioning System）信号を利用してナビゲーションを行うＧＰＳナビゲーション機能付きの撮像装置および制御方法に関する。
【背景技術】
【０００２】
近年、ＧＰＳ信号を利用して案内を行う携帯型のナビゲーション装置が販売されており、車載用だけでなく、徒歩での移動時にも案内を受けられるようになった。
【０００３】
ユーザがデジタルカメラと一緒に持ち歩くことにより、ＧＰＳ信号を利用して被写体撮影時の位置情報を測位する測位装置（いわゆるＧＰＳユニット）も販売されている。この測位装置をユーザがデジタルカメラと一緒に持ち歩いてデジタルカメラで被写体撮影を行い、その後、デジタルカメラおよび測位装置をパーソナルコンピュータに接続し、パーソナルコンピュータの画面上に地図を表示させて、その地図上に測位装置から読み出した撮影時の位置情報に基づいて撮影画像を表示させる。
【０００４】
また、ナビゲーション装置にデジタルカメラを単に組み合わせて一体化した電子機器も知られている（特許文献１〜３を参照）。
【０００５】
特許文献４には、ＧＰＳ受信と無線送信とを時分割処理で実行することによって、ＧＰＳ測位を行いながら無線通信を継続して行うようにしたものが記載されている。
【０００６】
特許文献５には、データ転送を必要とする複数の処理が重なった場合に発生するデータ転送ミスに因り取り込み画像に異常をきたすことを防止するため、測位を行うＧＰＳカードからＧＰＳ情報（経度緯度情報）を取得中に、シャッタボタンが押されたときには、ＧＰＳカードからのＧＰＳ情報の取得処理を一旦停止させて、撮影画像の記録処理を行った後、ＧＰＳカードからのＧＰＳ情報の取得処理を再開させるようにしたものが記載されている。
【０００７】
特許文献６には、シャッタボタンが押されたとき、撮影画像を記憶した後にＧＰＳ信号受信による測位を開始して、測位結果を撮影画像に関連付けて記憶するようにした無線携帯端末が記載されている。
【特許文献１】特開平５−２４０７２４号公報
【特許文献２】特開２００２―２７１７２３号公報
【特許文献３】特開２００１―２５７９２０号公報
【特許文献４】特開２００２―１９６０６２号公報
【特許文献５】特開２００５−２００４５号公報
【特許文献６】特開平１０−１５０６２５号公報
【発明の開示】
【発明が解決しようとする課題】
【０００８】
しかしながら、ユーザは、ナビゲーション中、急に撮影したくなったときには、ナビゲーション機能からカメラ機能（撮像機能）へ切り替える操作を行った後でなければ、被写体の撮影操作をすることができないので、シャッターチャンスを逃してしまうことがある。例えばナビゲーション情報を見ながら徒歩で移動していたとき、被写体を見つけて急に撮影したくなったとしても、機能を切り替えるボタン操作に手間と時間がかかる。
【０００９】
特許文献１〜３には、ナビゲーション装置とカメラとを単純に組み合わせた構成が記載されているが、ナビゲーション中に速やかに撮像開始する構成について、記載がない。
【００１０】
特許文献４には、ＧＰＳ信号受信と無線送信とを時分割処理で実行することについて記載されているが、ナビゲーション中に速やかに撮像開始する構成について、記載がない。
【００１１】
特許文献５には、撮影開始から撮影終了までＧＰＳ情報の取得を停止することは記載されているが、ナビゲーション中に速やかに撮像開始する構成について、記載がない。
【００１２】
特許文献６には、画像記憶後に測位を開始するものが記載されており、測位による電力消費はたしかに抑えられるが、ナビゲーション中に速やかに撮像開始する構成について、記載がない。
【００１３】
携帯電話にカメラとナビゲーション機能を持たせたものも市販されているが、ナビゲーション中に速やかに撮像開始する構成とはなっていない。そもそも、携帯電話では、軽薄化の要求から、半押し可能なレリーズキーは一般に採用されていない。
【００１４】
すなわち、従来のように、ナビゲーション装置とカメラとを単純に組み合わせただけでは、現在位置や地図情報が表示されたナビゲーション状態から被写体撮影が可能な撮像状態への切り替え操作に手間と時間がかかるので、ユーザにストレスを感じさせてしまうだけでなく、ユーザがシャターチャンスを逃すことにもなる。
【００１５】
本発明はこのような事情に鑑みてなされたもので、ナビゲーション中、急に撮影したくなったときに、速やかに撮影をすることができる撮像装置およびその制御方法を提供することを目的とする。
【課題を解決するための手段】
【００１６】
前記目的を達成するために、請求項１に記載の発明は、被写体を撮像する撮像手段と、全押下状態および半押下状態を有するレリーズキーと、地図情報を記憶する地図情報記憶手段と、ＧＰＳ信号に基づいて現在位置の測位を行う測位手段と、表示を行なう表示手段と、前記撮像手段から出力される撮像画像をスルー画として前記表示手段に表示し、前記レリーズキーの全押下に応じて前記撮像画像の記録を行う撮像機能、および、前記現在位置とその周辺の前記地図情報とを含むナビゲーション情報を前記表示手段に表示させるナビゲーション機能を少なくとも含む複数の機能を制御する機能制御手段と、前記各機能の選択指示が入力される機能選択指示入力手段と、前記ナビゲーション機能が選択されて少なくとも前記地図情報が表示されているナビゲーション状態で、前記レリーズキーが半押下されたとき、前記ナビゲーション状態を前記スルー画が表示される撮像状態に切り替える切替制御手段と、を備えることを特徴とする撮像装置を提供する。
【００１７】
ここで、記録される撮像画像は、静止画および動画の何れであってもよい。
【００１８】
この発明によれば、ナビゲーション中、急に撮影したくなったとき、レリーズキーの半押し操作および全押し操作だけで、スルー画表示への切り替えと撮像画像の記録とを指示する一連の操作が可能となるので、速やかに撮影をすることができる。
【００１９】
請求項２に記載の発明は、請求項１に記載の発明において、前記切替制御手段は、前記レリーズキーが半押下されて前記ナビゲーション状態から前記撮像状態に切り替えた場合、前記撮像状態で前記レリーズキーが全押下されたときに前記撮像状態から前記ナビゲーション状態に復帰させることを特徴とする撮像装置を提供する。
【００２０】
この発明によれば、レリーズキーが半押下されてナビゲーション状態から撮像状態に切り替わった場合、レリーズキーの全押下によりナビゲーション状態に復帰するので、ユーザは移動中の現在位置の確認と被写体撮影とをストレスを感じることなく繰り返すことができる。
【００２１】
請求項３に記載の発明は、請求項２に記載の発明において、前記切替制御手段は、前記レリーズキーが半押下されて前記ナビゲーション状態から前記撮像状態に切り替えた場合、前記レリーズキーが全押下されたときに、前記撮像画像が記録され、前記撮像画像が所定時間前記表示手段に表示された後、前記ナビゲーション状態に復帰させることを特徴とする撮像装置を提供する。
【００２２】
この発明によれば、レリーズキーが半押下されてナビゲーション状態から撮像状態に切り替わった場合、ユーザは、レリーズキーを全押下するだけで、記録された撮像画像を視認した後、ナビゲーション情報により現在位置を確認することができる。
【００２３】
請求項４に記載の発明は、請求項１ないし３の何れか１項に記載の発明において、前記機能制御手段は、前記レリーズキーが半押下されて前記ナビゲーション状態から前記撮像状態に切り替わったとき、前記測位手段による現在位置の測位を継続させることを特徴とする撮像装置を提供する。
【００２４】
この発明によれば、ナビゲーション中にレリーズキーが半押しされたら撮影後は直ちにナビゲーションに戻ると判断し、レリーズキー半押し後も測位を継続するので、撮影後のナビゲーション状態への復帰を高速化し、現在位置表示を早くすることができる。
【００２５】
請求項５に記載の発明は、請求項１ないし４の何れか１項に記載の発明において、前記機能制御手段は、前記ナビゲーション状態で前記レリーズキーが半押下されたとき、前記ナビゲーション情報および前記スルー画を前記表示手段に分割して表示させることを特徴とする撮像装置を提供する。
【００２６】
この発明によれば、スルー画とナビゲーション情報とを同時に確認することができる。
【００２７】
請求項６に記載の発明は、請求項１ないし５の何れか１項に記載の発明において、前記機能制御手段は、前記表示手段に記録画像を再生表示する画像再生機能を制御し、前記切替制御手段は、前記ナビゲーション状態で前記機能選択指示入力手段により前記画像再生機能の選択指示が入力されたとき、前記ナビゲーション状態を前記記録画像が表示される画像再生状態に切り替えることを特徴とする撮像装置を提供する。
【００２８】
この発明によれば、ナビゲーション中、急に画像を再生したくなったとき、すぐに画像を再生させることができる。
【００２９】
請求項７に記載の発明は、請求項６に記載の発明において、前記切替制御手段は、前記ナビゲーション状態から前記画像再生状態に切り替えた場合、前記機能選択指示入力手段により前記画像再生状態が解除されたときに前記画像再生状態から前記ナビゲーション状態に復帰させることを特徴とする撮像装置を提供する。
【００３０】
この発明によれば、ナビゲーション中に画像再生後、速やかにナビゲーション状態に復帰するので、移動中の現在位置の確認と画像再生とをストレスを感じることなく繰り返すことができる。
【００３１】
請求項８に記載の発明は、請求項１ないし７の何れか１項に記載の発明において、前記機能制御手段は、前記機能選択指示入力手段により前記ナビゲーション機能の選択指示が入力されたとき、前記測位手段が現在位置の測位が済んでいない場合には、前記現在位置を含まないナビゲーション情報を前記表示手段に表示させることを特徴とする撮像装置を提供する。
【００３２】
請求項９に記載の発明は、被写体を撮像する撮像手段と、全押下状態および半押下状態を有するレリーズキーと、地図情報を記憶する地図情報記憶手段と、ＧＰＳ信号に基づいて現在位置の測位を行う測位手段と、表示を行なう表示手段と、実行可能な機能の選択指示が入力される機能選択指示入力手段とを備えた撮像装置の制御方法であって、前記機能選択指示入力手段に撮像機能の選択指示が入力されたとき、前記撮像手段から出力される撮影画像を前記表示手段にスルー画として表示させる工程と、前記機能選択指示入力手段にナビゲーション機能の選択指示が入力されたとき、前記現在位置とその周辺の前記地図情報とを含むナビゲーション情報を前記表示手段に表示させる工程と、前記ナビゲーション機能が選択されて少なくとも前記地図情報が表示されているナビゲーション状態で前記レリーズキーが半押下されたとき、前記ナビゲーション状態を前記スルー画が表示される撮像状態に切り替える工程と、前記撮像状態で前記レリーズキーの全押下に応じて前記撮像画像の記録を行う工程と、を含むことを特徴とする撮像装置の制御方法を提供する。
【発明の効果】
【００３３】
本発明によれば、ナビゲーション中、急に撮影したくなったときでも、ユーザはストレスを感じることなく、速やかに撮影をすることができる。
【発明を実施するための最良の形態】
【００３４】
以下、添付図面に従って、本発明の実施形態について、詳細に説明する。
【００３５】
図１は、本発明を適用したナビゲーション機能付きの撮像装置の一例を示すブロック図である。
【００３６】
図１において、撮像装置１０は、主として、撮像部５２、ＧＰＳ信号受信部５４、位置情報検出部５６、制御部６０、主記憶部６２、地図情報記憶部６４、画像記憶部６６、データ変換部６８、表示部７０、操作部７２、音声出力部７４、および、電源部７６、を含んで構成されている。
【００３７】
撮像部５２は、ＣＣＤ（Charge Coupled Device）等の撮像素子を有し、地球上の任意の地点で、被写体を撮像して、静止画、動画などの画像情報（「撮像画像」ともいう）を生成する。
【００３８】
ＧＰＳ信号受信部５４は、アンテナ５５を介して、ＧＰＳ（Global Positioning System）衛星から発信される電波信号（以下「ＧＰＳ信号」という）を受信する。なお、ＧＰＳ信号受信部５４およびアンテナ５５は、着脱式に分離できる構造としてもよい。位置情報検出部５６は、ＧＰＳ信号に基づいて、経度および緯度などの現在位置情報を検出する。これらのＧＰＳ信号受信部５４および位置情報検出部５６によって、現在位置の測位を行う測位手段が構成されている。
【００３９】
制御部６０は、ＣＰＵ（Central Processing Unit）およびその周辺回路で構成され、撮像装置１０の各構成要素の動作を制御して撮像装置１０の全体を統括するとともに、各構成要素の動作時に、現在位置情報、地図情報および画像情報の流れを制御する。
【００４０】
主記憶部６２は、ＲＡＭ(Random Access Memory）などで構成され、現在位置情報、画像情報および地図情報を一時的に記憶しておく機能を有する。詳細には、位置情報検出部５６から出力された現在位置情報、後述の地図情報記憶部６４から読み出した地図情報、撮像部５２から出力された画像情報（撮像画像）、および、後述の画像記憶部６６から読み出した画像情報（記録画像）を一時記憶する。
【００４１】
地図情報記憶部６４は、地図情報を予め記憶するものである。画像記憶部６６は、撮像部５２で生成された画像情報（撮像画像）を記録画像として記憶するものである。これらの地図情報記憶部６４および画像記憶部６６は、メモリカードなどの着脱可能な媒体（リムーバブルメディア）でもよい。地図情報記憶部６４と画像記憶部６６とは、説明の便宜上分けて説明しているが、両者を一体化してもよい。音声情報を記憶してもよい。
【００４２】
データ変換部６８は、位置情報検出部５６で生成された現在位置情報、地図情報記憶部６４から読み出した地図情報、撮像部５２で生成された画像情報（撮像画像）、および、後述の画像記憶部６６から読み出した画像情報（記録画像）を、後述の表示部７０で表示可能な形式に変換する。
【００４３】
表示部７０は、例えばＬＣＤ（液晶ディスプレイ）によって構成されており、ナビゲーション時、撮像時、および、画像再生時に、主記憶部６２に一時記憶された情報（現在位置情報、地図情報、撮像画像、記録画像）を表示する。
【００４４】
操作部７２は、ユーザが撮像装置１０に対して指示を入力する手段である。操作部７２によって、例えば、撮像機能の選択指示、画像再生機能の選択指示、ナビゲーション機能の選択指示、画像記録指示、各種設定指示が入力される。入力方法としては、キー入力のほかに、表示部７０に表示させたメニュー画面にペンや指で触れることによって入力する形態でもよい。
【００４５】
音声出力部７４は、スピーカを含んで構成され、ナビゲーション時の音声ガイド、操作上の音声アシスト、音楽情報の再生等を行う。
【００４６】
電源部７６は、所望の電圧を発生し、各部へ電力を供給する。携帯型の場合は電池を内蔵し、ＤＣ／ＤＣ変換器を有する。充電式電池の場合は充電回路も含まれる。
【００４７】
制御部６０は、操作部７２に入力された指示に従って、撮像機能、画像再生機能、ナビゲーション機能を含む複数の機能を制御する。撮像機能が選択されたときには、撮像部５２から出力される撮像画像をスルー画として表示部７０に表示させるとともに、操作部７２に入力された指示に従って撮像画像を画像記憶部６６に記録スルー画再生機能が選択されたときには、画像記憶部６６に記録されている記録画像を表示部７０に表示させる。ナビゲーション機能が選択されたときには、地図情報記憶部６４に記憶されている地図情報に位置情報検出部５６から出力される現在位置情報を加えたナビゲーション情報を表示部７０に表示させる。このように制御部６０は、撮像機能、画像再生機能およびナビゲーション機能を含む複数の機能を制御する機能制御手段を構成している。
【００４８】
以下では、表示部７０に撮像画像が表示されている状態を撮像状態といい、表示部７０に記録画像が表示されている状態を画像再生状態といい、表示部７０に地図情報を少なくとも含むナビゲーション情報が表示されている状態をナビゲーション状態という。制御部６０は、これらの撮像状態、画像再生状態およびナビゲーション状態を含む複数の状態を切り替える切替制御手段を構成している。
【００４９】
図２は、図１の撮像装置１０の外観の一例を示す。
【００５０】
図２において、本体１１の前面には撮影レンズが組み込まれたレンズ鏡筒１２が設けられており、本体１１の上面にはレリーズキー１３および電源スイッチ１４が設けられている。本体１１の背面には、図１の表示部７０を構成するタッチパネル付きのＬＣＤ１５、ファインダ接眼窓１６、汎用キー１７、動作モード切替スイッチ１８、メニューボタン１９、キャンセルボタン２１、ディスプレイボタン２２、ナビ機能スイッチ２３が設けられている。
【００５１】
レリーズキー１３は、半押下状態でオン状態となる第１段のスイッチ（Ｓ１）と、全押下状態でオン状態となる第２段のスイッチ（Ｓ２）を有する二段式のスイッチである。レリーズキー１３が押下されていない状態では、Ｓ１およびＳ２はオフ状態である。
【００５２】
動作モード切替スイッチ１８は、撮像機能（カメラモード）の選択指示と、画像再生機能（再生モード）の選択指示を入力するためのスライド式のスイッチである。例えば、撮像状態において図中の右側から左側へスライド操作することにより画像再生状態に切り替わり、画像再生状態において図中の左側から右側へスライド操作することにより撮像状態に切り替わる。
【００５３】
ナビ機能スイッチ２３は、ナビゲーション機能の選択指示を入力するためのボタン式のスイッチである。本例では、撮像状態または画像再生状態において押下することによりナビゲーション状態に切り替わり、ナビゲーション状態において押下することによりナビゲーション状態が解除される。
【００５４】
タッチパネル付きのＬＣＤ１５（表示部７０）は、画像再生およびナビゲーションに使用される他、撮影モードのときにはフレーミング用のスルー画を表示する電子ビューファインダとしても機能する。タッチパネル付きのＬＣＤ１５を用いて、地図の検索や各種設定の操作をタッチ式に行うこともできる。
【００５５】
メニューボタン１９を押下すると、ＬＣＤ１５に設定画面（「セットアップメニュー」ともいう）が表示され、撮像状態あるいは画像再生状態あるいはナビゲーション状態からセットアップ状態へ移行する。この設定画面では、露出値、色合い、ＩＳＯ感度、記録画素数などの画質調整に関する項目や、セルフタイマの設定、測光方式の切り替え、デジタルズームを使用するか否かなどの画質調整以外の項目など、撮像装置１０が持つ全ての調整項目の設定が行われる。撮像装置１０は、この設定画面で設定された条件に応じて動作する。メニューボタン１９は、選択した項目や処理の確定や実行のための確定／実行ボタンとしても機能する。
【００５６】
汎用キー１７は、再生スルー画の選択や、設定画面内の項目の選択を行うためのカーソルを移動するカーソルシフトキーとして機能する。汎用キー１７は、カーソルを左右方向に移動させる左シフトキー１７ａ及び右シフトキー１７ｃ、上下方向に移動させる移動させる上下シフトキー１７ｂとからなる。左右の各シフトキー１７ａ、１７ｃは押しボタン式であり、上下シフトキー１７ｂは、水平方向の軸を中心に上下方向に揺動自在に設けられている。また、上下シフトキー１７ｂは、撮影モードで動作している場合には、ズームボタンとして機能する。キャンセルボタン２１は、選択した項目や操作をキャンセルする。ディスプレイボタン２２はＬＣＤ１５をオン／オフするボタンである。
【００５７】
なお、本例の撮像装置１０は、動作モード切替スイッチ１８およびナビ機能スイッチ２３によって、撮像機能、画像再生機能およびナビゲーション機能の選択指示が入力される機能選択指示入力手段が構成されているが、このような場合に特に限定されず、ひとつのスイッチで３つの機能の選択指示を入力するように構成してもよいし、各機能ごとにそれぞれ異なるスイッチで構成してもよい。図２では、動作モード切替スイッチ１８を画像再生機能の選択指示の入力に用いる場合を示しているが、単一の「再生キー」により画像再生機能の選択指示が入力される構成としてもよい。
【００５８】
また、本例の撮像装置１０は、静止画の記録と動画の記録とが可能であり、静止画の撮影モードでは、レリーズキーが半押下されたとき、オートフォーカスが行われ、レリーズキーが全押下されたとき、撮像画像が静止画として記録される。動画の撮影モードでは、連続してオートフォーカスが行われ、レリーズキーが全押下されたとき、動画の記録が開始し、再びレリーズキーが全押下されたとき、その動画の記録が終了する。本例の撮像装置１０では、静止画の撮像機能および動画の撮像機能の切り替えは、メニュー画面で切り替えるようになっているが、このような場合に特に限定されず、静止画の撮像機能および動画の撮像機能を切り替えるスイッチを設けてもよいし、動画用のレリーズキーを静止画用のレリーズキーとは別に設けるようにしてもよい。
【００５９】
次に、図１および図２に示した撮像装置１０の制御部６０によりプログラムに従って行われる制御処理について、静止画を記録する場合を例に説明する。
【００６０】
図３〜図６は、撮像装置１０の制御処理の第１実施例を示すフローチャートである。
【００６１】
図３において、電源スイッチ１４がオンされたとき（ステップＳ２）、動作モード切替スイッチ１８で撮像機能（カメラ機能）が選択されているか画像再生機能が選択されているかを判定し（ステップＳ４）、撮像機能の起動（ステップＳ１０）、および、画像再生機能起動（ステップＳ８０）の何れかを行う。なお、図３では、説明の便宜上、電源スイッチ１４のオン時に撮像機能および画像再生機能の何れか一方を選択可能な場合を一例として示しているが、これら以外の機能を選択可能としてもよい。
【００６２】
電源スイッチ１４のオン時に撮像機能が起動された場合の制御処理について、図４のフローチャートを用いて説明する。
【００６３】
図４において、撮像部５２への電力供給を開始して撮像機能を起動し（ステップＳ１０）、ＧＰＳ信号受信部５４の電源オンを行って（ステップＳ１２）、位置情報検出部５６による測位を開始するとともに（ステップＳ１４）、撮像部５２から出力される撮像画像をスルー画として表示部７０に表示させる（ステップＳ１６）。このように、電源スイッチ１４のオン時に撮像機能が選択されている場合には、スルー画が表示される撮像状態に設定されるとともに、現在位置の測位を開始する。
【００６４】
撮像状態における測位は、例えば、特定の周期（Ｔ秒）で間欠的に継続する。例えば、ＧＰＳ信号受信部５４を電源オンしたとき、測位を開始するとともに計時を開始して、測位開始（ｔ＝０秒）から一定時間経過したとき（ｔ＝ｄ秒）、測位を停止してＧＰＳ信号受信部５４を電源オフする。そして、測位開始（ｔ＝０秒）から特定の時間Ｔ（＞ｄ）が経過したとき（ｔ＝Ｔ秒）、再びＧＰＳ信号受信部５４を電源オンして現在位置の測位を行い、以後測位の停止および測位を繰り返す。ここで、ｄは１回の測位期間（すなわちＧＰＳ信号受信部５４への電力供給期間）であり、Ｔは測位の周期である。このように、ＧＰＳ信号受信部５４への電力供給を間欠的にエンドレスで行うことで、スルー画表示状態が継続した場合でも省電力で現在位置情報を更新し続けることができる。
【００６５】
また、現在位置の測位を一度だけ行って測位を終了させる態様もある。例えば、撮像機能の起動時にＧＰＳ信号受信部５４を電源オンして測位を開始し、一定時間経過したらＧＰＳ信号受信部５４を電源オフして測位を終了させて、現在位置での測位を繰り返さないようにする態様もある。例えば、加速度センサなどにより撮像装置１０の移動を検出することが可能な構成の場合、撮像装置１０の移動が検出されない期間は測位を行わず、撮像装置の移動が検出された時に一度だけ測位を行って再び測位を終了するようにしてもよい。
【００６６】
以下では、測位を特定の周期で間欠的に継続する場合を例に説明する。
【００６７】
スルー画が表示されている状態において、レリーズキー１３の半押しを監視し（ステップＳ２０）、レリーズキー１３が半押しされたとき、オートフォーカスを行い（ステップＳ２２）、レリーズキー１３の全押しを監視し（ステップＳ２４）、レリーズキー１３が全押しされたとき、所定の露出条件で撮像部５２により被写体を撮像し、撮像画像の圧縮および画像記憶部６６への記録を行う（ステップＳ２６）。ここで、経度および緯度を含む現在位置情報を撮像画像に関連付けて画像記憶部６６に記憶する。そして、記録された撮像画像（記録画像）を表示部７０に一定時間再生表示させて（ステップＳ２８）、その後、スルー画表示（ステップＳ１６）へ戻る。
【００６８】
また、スルー画が表示されている状態において、画像再生機能の選択指示が入力されたか否か監視する（ステップＳ３０）。図２に示す本例の撮像装置１０では、動作モード切替スイッチ１８が撮像機能選択側（右側）から画像再生機能選択側（左側）へスライド操作により切り替えられたか否かを判定し、画像再生機能の選択指示が入力されたとき、位置情報検出部５６による測位を終了して、ＧＰＳ信号受信部５４の電源をオフする（ステップＳ３２）。測位を間欠的に行っている場合、測位停止中であればＧＰＳ信号受信部５４の電源は既にオフなのでその電源オフを行う必要がないことは言うまでもない。測位を一度のみ行って終了させている場合にはステップＳ３２は行わないことも言うまでもない。そして、撮像部５２への電力供給を停止して撮像状態を解除し（ステップＳ３４）、画像再生機能を起動する（ステップＳ８０）。すなわち、撮像状態から画像再生状態へ切り替える。
【００６９】
また、スルー画が表示されている状態において、ナビ機能スイッチ２３のオンを監視し（ステップＳ３６）、ナビ機能スイッチ２３がオンされたときには、撮像部５２への電力供給を停止して撮像状態を解除し（ステップＳ３８）、ナビゲーション機能を起動する（ステップＳ４０）。すなわち、撮像状態からナビゲーション状態へ切り替える。
【００７０】
なお、撮像状態に入ってから一定時間経過してもナビ機能スイッチ２３がオンされなかったとき（ステップＳ３６でＮＯ判定され且つ測位開始から一定時間経過したとき）、測位を終了することが、好ましい。
【００７１】
次に、撮像状態でナビゲーション機能が起動された場合の制御処理について、図５のフローチャートを用いて説明する。
【００７２】
撮像状態でナビゲーション機能が起動されると（ステップＳ４０）、現在位置の測位が少なくとも１回完了している否かを判定し（ステップＳ４４）、現在位置の測位が済んでいない未完了の場合には特定の地図情報（例えば過去の位置情報に基づく広域地図）を表示部７０に表示し（ステップＳ４６）、現在位置の測位が少なくとも１回完了している場合には地図情報に図案化した現在位置情報を加えて表示部７０に表示させる（ステップＳ４８）。
【００７３】
地図情報を少なくとも含むナビゲーション情報が表示されている状態において、レリーズキー１３の半押しを監視し（ステップＳ５０）、レリーズキー１３が半押しされたとき、測位を継続したまま、撮像部５２への電力供給を開始して撮像機能を起動し（ステップＳ５２）、撮像部５２から出力される撮像画像をスルー画として表示部７０に表示させる（ステップＳ５４）。すなわち、ＧＰＳ信号受信部５４への電力供給および位置情報検出部５６による測位を間欠的に継続して行うとともに、撮像部５２に対して電力供給を行って撮像を開始する。さらに、オートフォーカスを行い（ステップＳ５６）、レリーズキー１３の全押しを監視し（ステップＳ６０）、レリーズキー１３が全押しされたとき、所定の露出条件で撮像部５２により被写体を撮像し、撮像画像の圧縮および画像記憶部６６への記録を行う（ステップＳ６２）。ここで、経度および緯度を含む現在位置情報を撮像画像に関連付けて画像記憶部６６に記憶する。そして、記録された撮像画像（記録画像）を表示部７０に一定時間再生表示させて（ステップＳ６４）、その後、撮像状態の解除として撮像部５２への電力供給を停止して（ステップＳ６６）、ステップＳ４４へ戻る。すなわち、撮像状態からナビゲーション状態へ復帰させる。
【００７４】
なお、ステップＳ６４において記録画像を表示する所定時間（表示時間）は、撮像装置１０の操作部７２を用いて、セットアップメニューで、例えば０秒、１．５秒、３秒に可変設定することができる。表示時間を０秒に設定した場合、記録画像の表示は、行わない。
【００７５】
また、ナビゲーション情報が表示されている状態において、画像再生機能の選択指示が入力されたか否か監視する（ステップＳ７０）。図２に示す本例の撮像装置１０では、動作モード切替スイッチ１８が撮像機能選択側から画像再生機能選択側へスライド操作により切り替えられたか否かを判定スルー画再生機能の選択指示が入力されたとき、測位を継続したまま画像再生機能を起動し（ステップＳ７２）、画像記憶部６６に記録されている画像（記録画像）を表示部７０に表示させる（ステップＳ７３）。すなわち、ＧＰＳ信号受信部５４への電力供給および位置情報検出部５６による測位を間欠的に継続して行うとともに、画像の再生を開始する。
【００７６】
このような画像再生状態において、画像再生機能の解除指示が入力されたか否か監視する（ステップＳ７４）。図２に示す本例の撮像装置１０では、動作モード切替スイッチ１８が画像再生機能選択側から撮像機能選択側へスライド操作により切り替えられたか否かを判定スルー画再生機能の解除指示が入力されたとき、画像再生状態を解除して（ステップＳ７５）、ステップＳ４４へ戻る。すなわち、画像再生状態からナビゲーション状態へ復帰させる。
【００７７】
また、ナビゲーション情報が表示されている状態において、ナビ機能スイッチ２３のオフを監視し（ステップＳ７６）、ナビ機能スイッチ２３がオフされたときには、ナビゲーション状態を解除する（ステップＳ７８）。ここで、動作モード切替スイッチ１８で撮像機能が選択されていれば、撮像機能を起動する（図４のステップＳ１０）。
【００７８】
なお、撮像状態に入ってから一定時間経過してもレリーズキー１３の全押しがなかったとき（ステップＳ６０でＮＯ判定であって一定時間経過したとき）、測位を終了することが、好ましい。また、画像再生状態に入ってから一定時間経過しても画像再生機能選択の解除がされなかったとき（ステップＳ７４でＮＯ判定であって一定時間経過したとき）、測位を終了することが、好ましい。
【００７９】
電源スイッチ１４のオン時または撮像状態において画像再生機能が起動された場合の制御処理について、図６のフローチャートを用いて説明する。
【００８０】
図６において、画像再生機能が起動されると（ステップＳ８０）、画像記憶部６６に記録されている画像（記録画像）を表示部７０に表示させる（ステップＳ８２）。このような画像再生状態において、撮像機能の選択指示が入力されたか否かを判定し、撮像機能の選択指示が入力されたとき、画像再生状態を解除して(ステップＳ８５)、撮像機能を起動する（ステップＳ１０）。撮像機能起動後の制御処理は図４を用いて説明した通りであり、ここではその説明を省略する。
【００８１】
また、記録画像が表示されている状態において、ナビ機能スイッチ２３のオンを監視し（ステップＳ８６）、ナビ機能スイッチ２３がオンされたときには、画像再生状態を解除して(ステップＳ８７)、ナビゲーション機能を起動する（ステップＳ９０）。すなわち、画像再生状態からナビゲーション状態へ切り替える。このように画像再生状態でナビゲーション機能を起動したときには、図５に示すように、ＧＰＳ信号受信部５４の電源オンを行い（ステップＳ９２）、位置情報検出部５６により測位を開始する（ステップＳ９４）。その後の処理は、撮像状態でナビゲーション機能を起動した場合と同じであり、ここではその説明を省略する。
【００８２】
次に、第２実施例の制御処理について、図７および図８のフローチャートを用いて説明する。
【００８３】
本実施例では、電源スイッチ１４のオン時に撮像機能が選択されている場合、図７に示す制御処理が行われる。本実施例では、撮像機能起動（ステップＳ１０）の後、第１実施例とは異なり、ＧＰＳ信号受信部５４の電源オンおよび位置情報検出部５６による測位開始は行なわないで、スルー画を表示する（ステップＳ１６）。
【００８４】
また、本実施例では、スルー画が表示されている状態でナビゲーション機能の選択指示が入力されたとき、図８に示す制御処理が行われる。本実施例では、撮像状態でナビゲーション機能が選択されたとき、第１実施例とは異なり、図８に示すように、画像再生状態でナビゲーション機能が選択されたときと同様に、ＧＰＳ信号受信部５４の電源オン（ステップＳ９２）および位置情報検出部５６による測位の開始（ステップＳ９４）を行う。
【００８５】
その他の処理については、第１実施例と略同一であり、既に説明したので、ここではその説明を省略する。
【００８６】
次に、第３実施例の制御処理について、図９のフローチャートを用いて説明する。
【００８７】
本実施例では、電源スイッチ１４のオン時に撮像機能が選択されている場合、第１実施例と同様に、図４に示す制御処理が行われる。
【００８８】
また、本実施例では、スルー画が表示されている状態でナビゲーション機能の選択指示が入力されたとき、図９に示す制御処理が行われる。本実施例では、ナビゲーション状態でレリーズキーが半押しされたとき（図９のステップＳ５０でＹＥＳと判定されたとき）、撮像機能起動（ステップＳ５２）の後、図１０に示すように、表示部７０の左半分には現在位置（矢印表示）とその周辺の地図情報を表示するとともに、表示部７０の右半分には被写体のスルー画を表示する(ステップＳ１５４)。
【００８９】
また、レリーズキーが全押しされたとき（図９のステップＳ６０でＹＥＳと判定されたとき）、被写体の撮像、撮像した画像の圧縮および記録（ステップＳ６２）の後、一定時間、表示部７０の左半分に現在位置（矢印表示）とその周辺の地図情報を表示するとともに、表示部７０の右半分には記録画像を表示し（ステップＳ１６４）、撮像状態を解除してナビゲーション状態に復帰する（ステップＳ６６）。
【００９０】
なお、レリーズキーが全押下されたときには、図１１に示すように記録画像を全画面表示するようにしてもよい。
【００９１】
また、ステップＳ１６４における記録画像等の表示時間は、撮像装置１０の操作部７２を用いて、セットアップメニューで、例えば０秒、１．５秒、３秒に可変設定することができる。表示時間を０秒に設定した場合、表示は行わない。
【００９２】
以上、第１実施例〜第３実施例において、静止画を撮像する場合を例に説明したが、本発明は静止画を撮像する場合に特定に限定されず、動画を撮像する場合にも適用できる。
【００９３】
動画を撮像する場合でも、静止画を撮像する場合と同様に、ナビゲーション情報を表示している状態（ナビゲーション状態）でレリーズキー１３が半押しされたとき、スルー画を表示する状態（撮像状態）に切り替える。また、ナビゲーション状態でレリーズキー１３が半押しされたとき、オートフォーカスを開始し、動画の撮像状態が解除されるまでオートフォーカスを継続する。レリーズキー１３が全押しされたときには、動画の記録を開始し、レリーズキー１３が再び全押しされたときには、動画記録を終了して撮像状態を解除し、ナビゲーション状態へ復帰する。オートフォーカスの開始や、動画の記録終了は、他の操作により行うようにしてもよい。
【００９４】
また、図２の撮像装置１０のようにレリーズキー１３を動画と静止画とで兼用している場合には、ナビゲーション状態でレリーズキー１３が半押しされたとき、動画の撮像機能および静止画の撮像機能の何れかを起動する。ここで動画および静止画の何れの撮像機能を起動するかについては、メニュー画面で予め指示入力しておくようにしてもよいが、そのような場合に特に限定されない。例えば、撮像状態の解除時に動画および静止画の何れの撮像を行ったかを示す履歴情報を主記憶部６２に記憶しておき、レリーズキー１３の半押し時には、主記憶部６２の履歴情報に基づいて動画の撮像機能を起動するか静止画の撮像機能を起動するかを判定することにより、前回動画の撮像を行った場合には動画の撮像機能を起動する一方で、前回静止画の撮像を行った場合には静止画の撮像機能を起動するようにしてもよい。
【００９５】
また、図２の動作モード切替スイッチ１８を画像再生機能の選択指示の入力に用いる場合を例に説明したが、単一の「再生キー」（図２では図示を省略）の押下により、画像再生機能の選択指示が入力される構成でもよい。すなわち、本発明における機能選択指示手段は、撮像機能の選択指示を入力する手段と、画像再生機能の選択指示を入力する手段とに、物理的に分離している場合を含む。
【００９６】
また、本発明に係る撮像装置は、いわゆるデジタルカメラに限定されるものではなく、撮像素子を用いて撮像を行う機能を備えた機器全般に適用することができる。例えば、本発明のデジタルカメラを携帯電話やＰＤＡ（携帯情報端末）などのあらゆる携帯電子機器に適用してよい。
【００９７】
本発明は、本明細書において説明した例や図面に図示された例には限定されず、本発明の要旨を逸脱しない範囲において、各種の設計変更や改良を行ってよいのはもちろんである。
【図面の簡単な説明】
【００９８】
【図１】本発明を適用したナビゲーション機能付きの撮像装置の一例を示すブロック図
【図２】図１の撮像装置の外観の一例を示す斜視図
【図３】電源スイッチオン時の分岐処理を示すフローチャート
【図４】第１実施例における通常の撮像機能制御処理の一例を示すフローチャート
【図５】第１実施例におけるナビゲーション機能起動時の制御処理の一例を示すフローチャート
【図６】第１実施例における通常の画像再生制御処理の一例を示すフローチャート
【図７】第２実施例における通常の撮像機能制御処理の一例を示すフローチャート
【図８】第２実施例におけるナビゲーション機能起動時の制御処理の一例を示すフローチャート
【図９】第３実施例におけるナビゲーション機能起動時の制御処理の一例を示すフローチャート
【図１０】第３実施例における分割表示例を示す説明図
【図１１】第３実施例における全画面表示例を示す説明図
【符号の説明】
【００９９】
１０…撮像装置、１３…レリーズキー、１４…電源スイッチ、１５、７０…表示部、１８…動作モード切替スイッチ(機能選択指示入力手段)、２３…ナビ機能スイッチ(機能選択指示入力手段)、５２…撮像部、５４…ＧＰＳ信号受信部（測位手段）、５６…位置情報検出部（測位手段）、６０…制御部、６２…主記憶部、６４…地図情報記憶部、６６…画像記憶部
【図１】
2008311724.tif 000003
【図２】
2008311724.tif 000004
【図３】
2008311724.tif 000005
【図４】
2008311724.tif 000006
【図５】
2008311724.tif 000007
【図６】
2008311724.tif 000008
【図７】
2008311724.tif 000009
【図８】
2008311724.tif 000010
【図９】
2008311724.tif 000011
【図１０】
2008311724.tif 000012
【図１１】
2008311724.tif 000013